(57)【要約】【課題】配薬の誤りを予防するために好適な与薬トレーを提供する。【解決手段】与薬に関する情報を記載した文書やその他の文書を保持する文書ホルダ３と、文書ホルダ３及び医薬品類を収納するトレー本体１とを要素とし、前記文書ホルダ３が、前記トレー本体１に対して取り付けられており、なおかつ、トレー本体１から取り外すことなしに、トレー本体１内に収納されて所要の収容什器への収容を可能とする収納位置とトレー本体１外に持ち出されて医薬品類の出し入れを容易とする持出位置との間で移動できるものである与薬トレーＴを構成した。【選択図】図８
2007307105.tif 000002
【特許請求の範囲】
【請求項１】
与薬対象者に与えるべき医薬品類を収納し、所要の収容什器に収容し得る与薬トレーであって、
与薬に関する情報を記載した文書やその他の文書を保持する文書ホルダと、文書ホルダ及び医薬品類を収納するトレー本体とを要素とし、
前記文書ホルダが、前記トレー本体に対して取り付けられており、なおかつ、トレー本体から取り外すことなしに、トレー本体内に収納されて所要の収容什器への収容を可能とする収納位置とトレー本体外に持ち出されて医薬品類の出し入れを容易とする持出位置との間で移動できるものであることを特徴とする与薬トレー。
【請求項２】
前記文書ホルダは、前記収納位置に位置づけたときに前記トレー本体の内部空間の上方に覆い被さり、前記持出位置に位置づけたときにトレー本体の内部空間の上方を開放するものである請求項１記載の与薬トレー。
【請求項３】
前記文書ホルダが、略水平軸回りに回動操作可能となっている請求項１または２記載の与薬トレー。
【請求項４】
前記文書ホルダは、文書を保持するための保持具を装着した基板と、基板の端部にヒンジを介して連接している取付端とを備えており、その取付端が前記トレー本体の前板部、側板部または後板部に取り付けられる請求項３記載の与薬トレー。
【請求項５】
前記文書ホルダの基板は、保持している文書に筆記する際に下敷きとして機能する程度の硬さを有している請求項４記載の与薬トレー。
【請求項６】
前記文書ホルダが、前記トレー本体に対して着脱自在となっている請求項１、２、３、４または５記載の与薬トレー。
【発明の詳細な説明】
【技術分野】
【０００１】
本発明は、与薬対象者に与えるべき医薬品類を収納するための与薬トレーに関する。
【背景技術】
【０００２】
医療施設や介護施設において、与薬対象者（入院患者、入所者等）に医薬品類を配薬するために使用される与薬カートシステムが公知である（例えば、下記特許文献を参照）この種の与薬カートシステムは、与薬トレーを複数段収容して運搬できるものであり、一人の与薬対象者に一段づつ与薬トレーを割当てし、その与薬トレーに該当の与薬対象者に与えるべき数日分の医薬品類を収納することが通例となっている。
【０００３】
与薬対象者が必要とする医薬の種類や分量は、言うまでもなく与薬対象者毎に異なり、医療スタッフは常に個々の与薬対象者に対して適切な医薬を配薬しなければならない責を負っている。配薬の誤りを予防するため、各与薬対象者の処方箋や病態情報等を記載した医療関係文書を各与薬対象者に割当てした与薬トレーに医薬とともに納めておき、配薬時や投薬時に適宜確認をとることが行われている。
【非特許文献１】“サカセ化学工業ホームページ  商品紹介／カート”、［ｏｎｌｉｎｅ］、サカセ化学工業株式会社、［平成１８年４月２０日検索］、インターネット＜ＵＲＬ  http://www.sakase.jp/hp/syokai/shohin-2/shohin-2.htm＞
【発明の開示】
【発明が解決しようとする課題】
【０００４】
しかしながら、一度与薬トレーから取り出された医療関係文書が再度与薬トレーに収められることなく、惰性でナースステーション等に置きっ放しにされてしまうといったことも時に起こり得る。そうすると、医療関係文書を逐時確認して配薬の誤りを未然に防ぐという目的が達成されない懸念がある。さらに、与薬トレーから取り出された医療関係文書が間違った与薬対象者の与薬トレーに納められてしまう可能性も否定できず、その場合には却って誤りを誘発することになりかねない。
【０００５】
以上に鑑みてなされた本発明は、配薬の誤りを予防するために好適な与薬トレーを提供せんとするものである。
【課題を解決するための手段】
【０００６】
本発明では、与薬対象者に与えるべき医薬品類を収納し、所要の収容什器に収容し得るものであって、与薬に関する情報を記載した文書（例えば、曜日、投薬機会毎に与えるべき医薬の種類、分量等を記載した予薬表）やその他の文書を保持する文書ホルダと、文書ホルダ及び医薬品類を収納するトレー本体とを要素とし、前記文書ホルダが、前記トレー本体に対して取り付けられており、なおかつ、トレー本体から取り外すことなしに、トレー本体内に収納されて所要の収容什器への収容を可能とする収納位置とトレー本体外に持ち出されて医薬品類の出し入れを容易とする持出位置との間で移動できるものであることを特徴とする与薬トレーを構成した。
【０００７】
つまり、トレー本体に取り付けられた文書ホルダに医療関係文書を保持させることで、ある与薬対象者についての医療関係文書をその与薬対象者に割当てした与薬トレーに恒常的に関連付けておくことができるようにしたのである。このようなものであれば、与薬対象者についての医療関係文書が確実にその与薬対象者の与薬トレー内に収納され、並びに、与薬トレー外に持ち出された医療関係文書が間違った与薬対象者の与薬トレーに納められてしまうおそれも少なくなる。
【０００８】
配薬の誤りを防止する観点から見れば、与薬トレーを収容什器から引き出したときに自然に医療関係文書が表出することが好ましい。前記文書ホルダが、前記収納位置に位置づけたときに前記トレー本体の内部空間の上方に覆い被さり、前記持出位置に位置づけたときにトレー本体の内部空間の上方を開放するものであるならば、配薬時や投与時に自然に医療関係文書を視認することができる。
【０００９】
前記文書ホルダが、略水平軸回りに回動操作可能となっていれば、非常に使い勝手のよいものとなる。
【００１０】
具体的には、前記文書ホルダが、文書を保持するための保持具を装着した基板と、基板の端部にヒンジを介して連接している取付端とを備えており、その取付端を前記トレー本体の前板部、側板部または後板部に取り付ける。
【００１１】
前記文書ホルダの基板は、保持している文書に筆記する際に下敷きとして機能する程度の硬さを有していることが望ましい。
【００１２】
また、前記文書ホルダが、前記トレー本体に対して着脱自在となっていれば、医療関係文書の文書ホルダへの出し入れまたは付け外しが行いやすく、不要な場合に文書ホルダを除去して使用することも可能となる。
【発明の効果】
【００１３】
本発明によれば、配薬の誤りを予防するために好適な与薬トレーを提供可能である。
【発明を実施するための最良の形態】
【００１４】
以下、本発明の一実施形態を、図面を参照して説明する。図１に示すものは、本実施形態の与薬トレーＴを収容して運搬できる与薬カートシステムである。この与薬カートシステムは、床面上を移動可能な複数台の与薬カートＣを連結部材Ｎを介して直列連結してなる。勿論、連結部材Ｎによる連結を解除し、各与薬カートＣを分離して個別に運用することも可能である。
【００１５】
与薬カートＣは、複数の与薬トレーＴを収容し得る収容什器たる本体Ｃ１と、本体Ｃ１を下方より支持する支持体Ｃ２と、支持体Ｃ２に剛結するとともに本体Ｃ１の左右両側方に並立したフレームＣ３１、Ｃ３２を有するフレーム体Ｃ３とを具備する。
【００１６】
本体Ｃ１は、前方に開口した筐体であり、その内に与薬トレーＴを上下に亘って複数段収容する。本体に収容された予薬トレーは、抽斗の如く手前方に引き出す操作が可能である。通常、各段の与薬トレーＴはそれぞれ一人の与薬対象者に割当てられる。
【００１７】
本体Ｃ１を支持する支持体Ｃ２の四隅には、キャスタＣ２１を取り付けてある。支持体Ｃ２の前端部位には、前方に突出したバンパＣ２２を設けている。
【００１８】
フレーム体Ｃ３は、前後に離間した前フレームＣ３１及び後フレームＣ３２と、左側の後フレームＣ３２の上端、左右両側の前フレームＣ３１の上端及び右側の後フレームＣ３２の上端を相互に結合する平面視略コ字型の結合フレームＣ３３とを有している。両側の後フレームＣ３２の上端近傍には、与薬カートＣを移動させる際に把持するハンドルＣ３４を設けている。加えて、両側の前フレームＣ３１の上端近傍には、複数台の与薬カートＣを連結したときに相手方の与薬カートＣのハンドルＣ３４と干渉することを避けるために後方に屈曲させた退避部Ｃ３１１を設けている。
【００１９】
連結部材Ｎは、弾性変形可能な樹脂成形品であり、一方の与薬カートＣの前フレームＣ３１と他方の与薬カートＣの後フレームＣ３２との各々に嵌合して双方の与薬カートＣを前後方向に連結する。
【００２０】
しかして、本実施形態の与薬トレーＴは、図２ないし図６に示すように、医薬品類を保持する所定個数のケース２と、これらケース２を収納するトレー本体１とを主要な構成要素とする。
【００２１】
ケース２は、長手方向に沿って略等断面形状をなすように延伸し上方に開放した保持空間を有する基体２１と、基体２１の側端部に設けられその保持空間を側方より閉止する側壁２２と、基体２１の保持空間内に配置され長手方向に沿って摺動可能な仕切板２３とを備え、全体として上方に開口する箱形の部材である。通常、一個のケース２は一日分の医薬品類を保持する。ケース２の長手寸法即ち幅寸法は、短手寸法即ち奥行寸法の略整数倍となっている。
【００２２】
詳述すると、基体２１は、例えば樹脂製の押出成形品で、底壁２１１と、底壁２１１の前縁より立ち上がる前壁２１２と、底壁２１１の後縁より立ち上がる後壁２１３とが包囲する保持空間を形成しているものである。医薬品類が載置される底壁２１１の上面が非平坦な凸凹状となるように、この底壁２１１は、長手方向に延伸する凹条２１１ｂと同じく長手方向に延伸する凸条２１１ａとが連なった側断面視波形状に成形してある。加えて、前後に対向する前後壁２１２、２１３のうち一方の上縁を他方の上縁よりも高位置に設定する。図示例では、後壁２１３の上縁２１３ａを前壁２１２の上縁よりも高くしている。後壁２１３の上縁２１３ａは、後壁２１３の他の部分よりも厚肉化している。図示例では、後壁２１３の上縁２１３ａが、長手方向に沿った細長な円柱状をなすように前後方向に膨出している。
【００２３】
基体２１の両側端には、例えば樹脂製の側壁２２を溶着またはその他の手段によって取着し固定する。
【００２４】
仕切板２３は、長手方向に対し略直交する薄板材を主体とし、その前後寸法を基体２１の前後壁２１２、２１３間の距離に略合致させるとともに、その下縁を基体２１の底壁２１１の上面に対応した形状に成形したものである。仕切板２３は、ケース２の保持空間を複数個の小領域に区画する役割を担う。一日のうちでの投薬機会が朝、昼、夜、就寝前の四回であるとすると、保持空間を投薬機会の回数に対応する四つの小領域に区画するべく三枚ないし四枚の仕切板２３を一個のケース２に配置することとなる。図示例では、仕切板２３の枚数は四枚である。その上で、基体２１における上縁が高い方の壁即ち後壁２１３との間に、仕切板２３を摺動可能に支持させる支持構造を構築している。本実施形態では、仕切板２３の後縁の上端部位に、下向きに開口する側断面視略凹溝状（チャネル状、Ｕ字溝状、等）のガイド体２３１を設けている。ガイド体２３１は、仕切板２３の一方側に突出し、長手方向に沿って拡張しており、このガイド体２３１を基体２１の後壁２１３の上縁２１３ａに係合させることを通じて仕切板２３を基体２１に支持させることができる。特に、ガイド体２３１は、後壁２１３の上縁２１３ａをくわえ込むようにその開口幅が下方に向かうにつれて狭まっており、これらガイド体２３１と後縁２１３ａとの嵌合により仕切板２３が不用意に基体２１から脱落してしまうことが阻まれる。また、仕切板２３は、ガイド体２３１を設けていない方の側面を側壁２２の内側面に略隙間なく当接させることが可能である。
【００２５】
トレー本体１は、例えば樹脂製品であり、底板部１２、左右の側板部１３、後板部１４及び前板（鏡板）部１１が略角盆状をなすものである。トレー本体１の内部空間の幅方向の内寸、奥行方向の内寸はともに、ケース２の長手寸法に略合致しており、図５及び図６に示すように、所定個数のケース２を幅方向にも奥行方向にも隣接配置することができる。望ましくは、一週間分の医薬品類を収納可能とするべく、七個ないし八個のケース２を概ね隙間なく配置できる構成とする。図示例では、ケース２の個数は八個である。トレー本体１の側板部１３の内向面には、内側方に若干突き出る小突起１３１を、奥行方向に沿って間欠的に形成している。長手方向を幅方向に向けた状態でケース２を配置したとき、ケース２の側壁２２周辺の部位がちょうどそれら小突起１３１の間に収まる。
【００２６】
並びに、本実施形態の与薬トレーＴは、図７ないし図１０に示すように、与薬対象者に与えるべき与薬に関する情報を記載した文書（例えば、曜日、投薬機会毎に与えるべき医薬の種類、分量等を記載した予薬表）やその他の文書を保持する文書ホルダ３をトレー本体１に対して取り付けることができ、その文書ホルダ３を医薬品類とともに収納することが可能である。
【００２７】
文書ホルダ３は、文書を保持するための保持具３２１、３２２を装着した基板３１と、基板３１の端部にヒンジ３４を介して連接している取付端３３とを備え、その取付端３３をトレー本体１の前板部１１、側板部１３または後板部１４に取り付けるものとする。
【００２８】
基板３１は、保持している文書に筆記する際に下敷きとして機能する程度の硬さを有していることが好ましい。基板３１は、透明ないし半透明であることがある。
【００２９】
保持具３２１、３２２の具体的態様は、一意には限定されない。例えば、図７、図８に示すように、文書を挟持するクリップや、文書に挿し通す綴じ足、紐等を保持具３２１として基板３１に装着したものが考えられる。あるいは、図９に示すように、薄状体または袋状体を保持具３２２として基板３１に装着しておき、基板３１と薄状体との間または袋状体の内に文書を差し入れられるようにしてもよい。この薄状体または袋状体３２２は、文書を埃等から保護するカバーとしても機能する。薄状体または袋状体３２２は、透明ないし半透明であることがある。基板３１の面積を文書の定型的寸法よりも大きくし、かつ薄状体または袋状体３２２の面積を基板３１のそれよりも小さくすれば、差し入れている文書を幾分引き出して一部を露出させ、その部分に筆記を行い、しかる後文書を元に戻すというような所作が可能となる。何れにせよ、文書を基板３１の表面側、裏面側のどちらに保持するかは任意であって、表面または裏面のどちらに保持具３２１、３２２を装着していてもよく、文書を両面に保持できるよう両面に保持具３２１、３２２を装着しても構わない。
【００３０】
文書ホルダ３のトレー本体１への取付構造の具体的態様もまた、一意には限定されない。本実施形態では、文書ホルダ３の取付端３３を、トレー本体１の前板部１１の内向面（後面）に着脱自在に接合するものとしている。例えば、図１０に示すように、トレー本体１の内周部において、前板部１１の内向面から文書ホルダ３の基板３１の厚み程度分離間した位置に突片１５１を設けておき、前板部１１の内向面と突片１５１との間隙に文書ホルダ３の取付端３３を上方より差し込んで係止する。並びに、前板部１１の内向面に係合凸部１５２を形成し、取付端３３の対応箇所に係合凹部３３１を形成して、これら係合凸部１５２と係合凹部３３１との係合によって取付端３３の抜出を阻む。係合凹部３３１は、周縁の閉じていない切欠であってもよく、周縁の閉じた孔であってもよい。あるいは、取付端３３の係合凹部３３１に貫入したピンまたはボルト等の止着具を止着するための止着穴またはナット穴を前板部１１の内向面に穿っておき、その止着具によって取付端３３の抜出を阻む態様もとり得る。なお、図示例と同様の取付構造をもって、文書ホルダ３の取付端３３をトレー本体１の側板部１３の内面（内側面）または後板部１４の内面（前面）に接合することを妨げない。
【００３１】
トレー本体１に取り付けた文書ホルダ３は、基板３１と取付端３３との間のヒンジ３４を介して、略水平軸回りに回動操作することができる。このとき、文書ホルダ３は、図７、図９に示す、トレー本体１内に収納されて予薬カートＣの本体Ｃ１への収容を可能とする収納位置と、図８に示す、トレー本体１外に持ち出されてケース２ひいては医薬品類の出し入れを容易とする持出位置との間で移動可能となる。文書ホルダ３は、収納位置に位置づけたときにトレー本体１の内部空間及び内部空間に収納したケース２の上方に覆い被さり、持出位置に位置づけたときにトレー本体１の内部空間及びケース２の上方を開放する。
【００３２】
因みに、トレー本体１の前板部１１には、予薬対象者に関する情報（氏名、年齢、性別、血液型、他）を記載したネームプレートや、予薬対象者の病態や容態、臨時の配薬・投薬の必要性が生じた等の各種状況を色彩や記号で表示するシグナルプレートを設置することができる。前板部１１には、上面側または側面側に開口するスリット１１１を形成し、スリット１１１内を前面側に透視させる透窓１１２を設けてある。スリット１１１は、上記のプレートを挿入して配置するためのもので、スリット１１１内に挿入したプレートの表示内容は透窓１１２を通じて視認可能となる。本実施形態では、前板部１１の前向面の少なくとも一部が前上方を向くように傾斜した傾斜面となっており、スリット１１１もその傾斜面に対して略平行に延伸している。即ち、スリット１１１内に挿入したプレートは前上方を向いた状態になる。
【００３３】
本実施形態によれば、与薬対象者に与えるべき医薬品類を収納し、所要の収容什器Ｃ１に収容し得るものであって、与薬に関する情報を記載した文書やその他の文書を保持する文書ホルダ３と、文書ホルダ３及び医薬品類を収納するトレー本体１とを要素とし、前記文書ホルダ３が、前記トレー本体１に対して取り付けられており、なおかつ、トレー本体１から取り外すことなしに、トレー本体１内に収納されて所要の収容什器Ｃ１への収容を可能とする収納位置とトレー本体１外に持ち出されて医薬品類の出し入れを容易とする持出位置との間で移動できるものであることを特徴とする与薬トレーＴを構成したため、トレー本体１に取り付けられた文書ホルダ３に医療関係文書を保持させることで、ある与薬対象者についての医療関係文書をその与薬対象者に割当てした与薬トレーＴに恒常的に関連付けておくことができる。従って、与薬対象者についての医療関係文書が確実にその与薬対象者の与薬トレーＴ内に収納され、並びに、与薬トレーＴ外に持ち出された医療関係文書が間違った与薬対象者の与薬トレーＴに納められてしまうおそれも少なくなる。
【００３４】
前記文書ホルダ３は、前記収納位置に位置づけたときに前記トレー本体１の内部空間の上方に覆い被さり、前記持出位置に位置づけたときにトレー本体１の内部空間の上方を開放するものであるため、配薬時や投与時に自然に医療関係文書を視認することができ、配薬の誤り防止に有効となる。
【００３５】
前記文書ホルダ３が、略水平軸回りに回動操作可能となっており、実際の使用に適している。
【００３６】
前記文書ホルダ３は、文書を保持するための保持具３２１、３２２を装着した基板３１と、基板３１の端部にヒンジ３４を介して連接している取付端３３とを備えており、その取付端３３が前記トレー本体１の前板部１１、側板部１３または後板部１４に取り付けられるため、文書ホルダ３のトレー本体１への着脱が簡便で、かつ文書ホルダ３をトレー本体１に取り付けた状態での操作性向上に資する。
【００３７】
前記文書ホルダ３の基板３１は、保持している文書に筆記する際に下敷きとして機能する程度の硬さを有しているため、文書ホルダ３をトレー本体１に取り付けたまま、文書を文書ホルダ３に保持させたままでの筆記作業が容易になる。
【００３８】
前記文書ホルダ３が、前記トレー本体１に対して着脱自在となっているため、医療関係文書の文書ホルダ３への出し入れまたは付け外しが行いやすく、不要な場合に文書ホルダ３を除去して使用することも可能となる。
【００３９】
なお、本発明は以上に詳述した実施形態に限られるものではない。各部の具体的構成は上記実施形態に限られるものではなく、本発明の趣旨を逸脱しない範囲で種々変形が可能である。
【図面の簡単な説明】
【００４０】
【図１】本発明の一実施形態の与薬トレーを適用した与薬カートシステムを示す斜視図。
【図２】同実施形態の与薬トレーを示す斜視図。
【図３】トレー本体の側断面図。
【図４】ケースの側断面図。
【図５】トレー本体に所定個数のケースを収納した状態を示す平面図。
【図６】トレー本体に所定個数のケースを収納した状態を示す平面図。
【図７】文書ホルダを取り付けた状態の与薬トレーを示す斜視図。
【図８】文書ホルダを取り付けた状態の与薬トレーを示す斜視図。
【図９】文書ホルダを取り付けた状態の与薬トレーを示す斜視図。
【図１０】文書ホルダの与薬トレーへの取付構造を示す要部斜視図。
【符号の説明】
【００４１】
Ｃ１…所要の収納什器
Ｔ…与薬トレー
１…トレー本体
１１…前板部
１３…側板部
１４…後板部
２…ケース
２１…基体
２１１…底壁
２１２…前壁
２１３…後壁
２２…側壁
２３…仕切板
３…文書ホルダ
３１…基板
３２１、３２２…保持具
３３…取付端
３４…ヒンジ
【図１】
2007307105.tif 000003
【図２】
2007307105.tif 000004
【図３】
2007307105.tif 000005
【図４】
2007307105.tif 000006
【図５】
2007307105.tif 000007
【図６】
2007307105.tif 000008
【図７】
2007307105.tif 000009
【図８】
2007307105.tif 000010
【図９】
2007307105.tif 000011
【図１０】
2007307105.tif 000012